(57)【特許請求の範囲】
【請求項１】
基部を爪軸の軸周に放射方向に取り付けられ、回転されることで土壌を耕耘する耕耘爪であって、爪軸への取り付け状態においては、基部から延びる平面板からなる直刃部と、直刃部から一側方に傾斜して延びる平面からなる横刃部と、横刃部から一側方に延びる平面からなる直交刃部とを有し、直刃部から横刃部に掛けて回転方向と逆向きに湾曲されているとともに、直刃部から横刃部及び直交刃部にかけての回転方向前側に刃部を有し、直交刃部平面は、爪軸への取り付け状態で、回転方向の法線に対し前方側から後方側に向かい回転中心側に傾斜しており、
直交刃部と横刃部との境界部の回転方向前方端部近傍が回転半径は最大となっており、
直交刃部の爪軸回転中心側に面する平面は、爪軸への取り付け状態で、回転方向の法線に対して前方側から後方側に向かい回転中心側に４５度乃至５０度角傾斜しており、
耕耘爪は、爪軸への取り付け状態で、回転方向に面する直交刃部の、回転軸と直交する側面側から見た投影面積は、耕耘爪の回転軸と直交する側面側から見た横刃部２４の投影面積より１．３乃至１．６倍大きい、
耕耘爪。
【発明の詳細な説明】
【技術分野】
【０００１】
本発明は、耕耘爪に係る。詳細には、代かき機に取り付けて使用される耕耘爪に係る。
【背景技術】
【０００２】
特許文献１に記載の「耕耘爪」は、「取付け基部１と、平面板からなる縦刃部２と、弯曲板からなる横刃部２４３とが一体的に構成されてなる耕耘爪において、回転爪軸Ｓの回転軸線を法線とする面を側面としたとき、側面視における取付け基部１の中心を通る鉛直線分から弯曲開始部Ｆの刃縁までの弯曲開始水平距離Ｌが、弯曲曲率半径ｒの最小値である最小弯曲曲率半径ｒ１よりも小さく、横刃部２４刃縁の横方向先端位置Ｑまでの側面視刃縁形状において、回転爪軸Ｓの回転軸線Ｓ０から刃縁下端までの刃縁距離Ｒを、横刃部３の中途位置で最大刃縁距離Ｒ２となるように連続的に変化させてなる。」を提供するものである。
【０００３】
特許文献２に記載の「耕耘爪」は、「耕耘爪１は、耕耘爪軸６０に取り付けられる取付基部３から連続して延びる縦刃部１０及び横刃部２０を有し、縦刃部１０から横刃部２０にかけて回転方向と逆向きに湾曲するとともに、横刃部２０が一方側に湾曲してなる。耕耘爪１の最大回転半径Ｒｍとなる位置Ｒ２と、最大切削幅Ｈ１となる位置Ｌ１とは別の位置にある。また最大回転半径Ｒｍとなる位置Ｒ２から最大切削幅Ｈ１となる位置Ｌ１との間の横刃部２０の先端面２２に最大回転半径Ｒｍの位置Ｒ２から延びる直線部２５を設け、最大回転半径Ｒｍの位置Ｒ２での耕土表面とのなす刃先進入角度を５０°〜５５°の範囲にする。」を提供するものである。
【０００４】
特許文献３に記載の「耕耘爪」は、「耕耘爪１は、耕耘爪軸６０に取り付けられる取付基部３から連続して延びる縦刃部１０及び横刃部２０を有し、縦刃部１０から横刃部２０にかけて回転方向と逆向きに弯曲するとともに、横刃部２０が縦刃部１０に対して一方側に弯曲する。縦刃部１０は取付基部３に対して一側方に傾斜する。縦刃部１０の折曲開始部分１１は、耕耘爪軸６０に取り付けて耕耘爪軸中心と取付基部３の中心を通る線分から爪先端までの爪軸軸芯方向の側面視における爪長さを爪全長Ｌとしたときに、爪全長Ｌの取付基部側寄りの１／４付近に位置し、横刃部２０の折曲開始部分２３は、爪全長Ｌの半分よりも先端側寄りとされる。横刃部２０の先端部の断面形状は、一側方に弯曲する横刃部２０の弯曲方向と同方向側に凸状に弯曲して形成される。」を提供するものである。
【先行技術文献】
【特許文献】
【０００５】
【特許文献１】特開２００６−１０９７８７号公報
【特許文献２】特開２００７−７４９７４号公報
【特許文献３】特開２０１２−８０９０１号公報
【発明の概要】
【発明が解決しようとする課題】
【０００６】
特許文献１、２、３記載の「耕耘爪」はいずれも、「縦刃部１０から横刃部２０にかけて回転方向と逆向きに湾曲するとともに、横刃部２０が一方側に湾曲してなる。」、あるいは、「縦刃部１０から横刃部２０にかけて回転方向と逆向きに弯曲するとともに、横刃部２０が縦刃部１０に対して一方側に弯曲する。」等、先端部が基部に対して湾曲はしている。しかし、湾曲度は充分とはいえないものであった。そのため、代掻き使用時に、砕土性は限られ、耕耘爪が土を移動させる量が限られていた。
そのため、従来の耕耘爪を用いた代かき機では、同一箇所で何回も繰り返し作業をする必要があり、ゆっくり作業をする必要がある課題を有した。
【０００７】
本発明の目的は、耕耘爪の砕土性を向上するとともに、耕耘爪が土を持回る量を向上し、早く作業をすることを可能とし、同一箇所での作業を軽減することを可能とする。
【課題を解決するための手段】
【０００８】
本発明の耕耘刃は、
基部を爪軸の軸周に放射方向に取り付けられ、回転されることで土壌を耕耘する耕耘爪であって、爪軸への取り付け状態においては、基部から延びる平面板からなる直刃部と、直刃部から一側方に傾斜して延びる平面からなる横刃部と、横刃部から一側方に延びる平面からなる直交刃部とを有し、直刃部から横刃部に掛けて回転方向と逆向きに湾曲されているとともに、直刃部から横刃部及び直交刃部にかけての回転方向前側に刃部を有し、直交刃部平面は、爪軸への取り付け状態で、回転方向の法線に対し前方側から後方側に向かい回転中心側に傾斜しており、
直交刃部と横刃部との境界部の回転方向前方端部近傍が回転半径は最大となっており、
直交刃部の爪軸回転中心側に面する平面は、爪軸への取り付け状態で、回転方向の法線に対して前方側から後方側に向かい回転中心側に４５度乃至５０度角傾斜しており、
耕耘爪は、爪軸への取り付け状態で、回転方向に面する直交刃部の、回転軸と直交する側面側から見た投影面積は、耕耘爪の回転軸と直交する側面側から見た横刃部２４の投影面積より１．３乃至１．６倍大きい。
【発明の効果】
【００１１】
本発明によれば、耕耘爪の砕土性を向上するとともに、耕耘爪が土を持回る量を向上し、早く作業をすることを可能とし、同一箇所での作業を軽減することを可能とする。
【図面の簡単な説明】
【００１２】
【図１】この発明の実施の形態に係る実施例の代かき機に取り付けた使用状態正面断面図である。
【図２】この発明の実施の形態に係る実施例の作動状態正面図である。
【図３】この発明の実施の形態に係る第１実施例に係る耕耘爪の正面図である。
【図４】この発明の実施の形態に係る第１実施例に係る耕耘爪の平面図である。
【図５】この発明の実施の形態に係る第１実施例に係る耕耘爪の側面図であって耕耘爪の刃先端側から見た投影図である。
【図６】この発明の実施の形態に係る第２実施例に係る耕耘爪の正面図である。
【図７】この発明の実施の形態に係る第２実施例に係る耕耘爪の平面図である。
【図８】この発明の実施の形態に係る第２実施例に係る耕耘爪の側面図である。
【図９】図５における耕耘爪の回転軸と直交する側面側から見た投影図のＡ部拡大図である。
【図１０】図５における耕耘爪の回転軸と直交する側面側から見た投影図のＢ部拡大図である。
【発明を実施するための形態】
【００１３】
この発明の実施の一形態に係る第１実施例を図１乃至図５、及び、第２実施例を図６乃至図８に基づいて説明する。
【００１４】
１１は、代かき機である。代かき機１１は、トラクタ（図示せず）に牽引されて、図１矢示方向即ち図中左方に移動される。
１６は爪軸である。爪軸１６は、トラクタに牽引される。１２は、カバーである。カバー１２は、回転軸である爪軸１６の上部に設置され爪軸１６上部を覆う。
１３は、第１レベラーである。第１レベラー１３は、カバー１２の後部に取り付けられ土壌をならす。１４は、第２レベラーであり、第１レベラー１３の後部に取り付けられ、土壌をならす。１５は、レーキであり、第１レベラー１３より土壌寄りに取り付けられる。
【００１５】
２１は、耕耘爪である。耕耘爪２１は、全体として湾曲あるいは傾斜した平面状からなる。２２は、耕耘爪２１の基部である。
第１実施例において図３に図示されるＯ１、第２実施例において図６に図示されるＯ２は、耕耘爪２１の回転中心である。第１実施例において図３に図示されるＬ１、第２実施例において図６に図示されるＬ２は、法線である。第１実施例において図３に図示されるｒ１は、第２実施例において図６に図示されるｒ２は、回転軸線である。
２３は、耕耘爪２１の直刃部２３である。直刃部２３は、爪軸１６への取り付け状態で、放射方向と交差する方向、これらの実施例では、回転方向に延びる平面板からなる。
【００１６】
２４は、耕耘爪２１の横刃部２４である。横刃部２４は、第１実施例では、直刃部２３から直刃部２３の平面に対して爪軸１６への取り付け状態で、一側方に傾斜して延びる平面板からなる。あるいは、横刃部２４は、爪軸１６の回転軸方向に傾斜して延びる。
第２実施例では、横刃部２４は、直刃部２３から横刃部２４に掛けて爪軸１６への取り付け状態で、一側方に湾曲される平面板からなっている。
図３乃至図５に図示する、第１実施例は、折り曲げタイプの横刃部２４からなり、第１実施例における横刃部２４は、図４に図示されるように、爪軸１６への取り付け状態で、平面視直線状となっている。
【００１７】
第１実施例のように、横刃部２４が、爪軸１６への取り付け状態で、平面視直線状となっていると、横移動の速度が速くなり、また、土壌に加わる押圧力が大きくなり、練り込み効果が大きくなる。
第２実施例は、円弧状タイプの横刃部２４からなり、横刃部２４は、図７に図示されるように、直刃部２３から直刃部２３の平面に対して爪軸１６への取り付け状態で、平面視Ｒ状に湾曲している平面板からなる。
第２実施例のように、横刃部２４が、爪軸１６への取り付け状態で、平面視円弧状に湾曲している形状の場合、直線状の場合に比較して土壌の移動速度が緩やかになるため、練り込み性能も緩やかになる。
【００１８】
２５は、耕耘爪２１の直交刃部である。第１実施例、第２実施例とも、直交刃部２５は、横刃部２４の平面に対して爪軸１６への取り付け状態で、横刃部２４から一側方に延び、回転方向と直交する方向の平面からなる。
第１実施例の直交刃部２５は、図３、図４に図示されるように、横刃部２４から延び、爪軸１６への取り付け状態で、横刃部２４の平面に対して傾斜度を変え、傾斜度を深くし、一側方に延びる平面からなり、直刃部２３の平面に対して略垂直方向に延ばされる。
第２実施例の直交刃部２５は、横刃部２４から延び横刃部２４の平面に対して、湾曲から傾斜に変えて一側方に延びる平面からなり、直刃部２３の平面に対して略垂直方向に延ばされる。
【００１９】
第１実施例においては、図３に図示されるように、また、第２実施例においては、図６に図示されるように、耕耘爪２１において、直刃部２３から横刃部２４にかけて爪軸１６への取り付け状態で、回転方向と逆向きに湾曲されている。直刃部２３から横刃部２４及び直交刃部２５にかけての回転方向前側に刃部を有している。
図３、図６に図示されるように、直交刃部２５平面は爪軸１６への取り付け状態で、回転方向に対し前方側から後方側に向かい回転中心側に傾斜している。
【００２０】
第１実施例においては図３に、第２実施例においては図６に図示されるように、耕耘爪２１の先端は、法線Ｌ１、Ｌ２内に収まっている。
図３、図６に想像線で図示される、曲げる前の展開状態の耕耘爪４１と比較すると、曲げる前の展開状態の耕耘爪４１の先端は、法線Ｌ１、Ｌ２外にはみ出している。それに対して、第１実施例、第２実施例とも、曲げた後の本実施例に係る直交刃部２５は、直刃部２３の平面に対して略垂直方向に延ばされる。曲げる前の展開状態の耕耘爪４１で法線の外側にはみ出している分だけ、曲げた後の本実施例にでは、直交刃部２５平面が形成されている。
５１は、耕耘爪２１先端の回転軌跡である。回転軌跡５１は、最大回転半径である。
これら実施例では耕耘爪２１は、直交刃部２５と横刃部２４との境界部の爪軸１６への取り付け状態で、回転方向前方端部近傍が回転半径は最大となっている。
【００２１】
第１実施例では図３、第２実施例では図６に図示されるように耕耘爪２１は、直交刃部２５の爪軸１６回転中心側に面する平面は、爪軸１６への取り付け状態で、回転方向の法線に対して前方側から後方側に向かい回転中心側に４５度乃至５０度角（図３中ｃ１、図６中ｃ２）傾斜している。
４５度乃至５０度角傾斜しているため、土壌を持回るのに有効である。
第１実施例では、耕耘爪２１は、爪軸１６への取り付け状態で、回転方向に面する直交刃部２５の、回転軸と直交する側面側から見た図５に示す方向から見た投影面積は、図９に図示される平面状のＢ部分となり、耕耘爪の回転軸と直交する側面側から見た図５に示す方向から見た横刃部２４の投影面積は、図１０に図示されるＡ部分の形状となり、Ａ部分よりＢ部分の投影面積は、１．３乃至１．６倍大きい。
第２実施例でも、図８に示す方向から見た投影面積は平面状となるＢ部分である直交刃部２５は、耕耘爪の刃先端側から見たとき斜めとなる図８に示す方向から見た投影面積であるＡ部分である横刃部２４よりも、１．３乃至１．６倍大きい。
そのため、直交刃部２５で、土壌を持回るのに有効である。
【００２２】
爪軸１６回転中心軸方向視の直刃部２３と横刃部２４の境界部の長さは、基部２２と直刃部２３の境界長さの１．８〜２．１倍であり、直交刃部２５と横刃部２４との境界部の長さは、直刃部２３と横刃部２４の境界部の長さの１．４乃至１．６倍である。
１．４乃至１．６倍であるため、土壌の持ち上げ量が増え、練り込みが有効に行える。
２６は、取付孔であり、耕耘爪２１の基部２２に穿設される。
図４、図７に図示されるように、直刃部２４の基部２２側から直交刃部２５の基部２２側に至る肉厚は、同厚としても良いが、これらの実施例では順次厚さを薄くしている。順次厚さを薄くしているため、耕耘刃２１先端側に弾性を持たせ、基部２２への応力集中を軽減し、振動を吸収することができる。
【００２３】
３１は、耕耘爪取付部である。図１に図示されるように、耕耘爪取付部３１は、ボックス型からなり、爪軸１６の周囲に放射方向に取り付けられる。耕耘爪取付部３１には、耕耘爪２１の基部２２を差し込み、取付孔２６にボルト３２を差し込み固定する。耕耘爪２１は、基部２２で、水平な爪軸１６の軸周に放射方向に取り付けられ固定されて、回転されることで土壌を耕耘する。
【００２４】
耕耘爪２１の作用について説明する。
図１、図２に図示されるように、直刃部２３によりまず、土に食い込んで土を抱き込む。前方側で直刃部２３によって切断された土壌の側方側は、横刃部２４で斜め横方向に移動させられ、さらに、直交刃部２５によって直刃部２３切断方向と直交する方向に移動される。
この間、耕耘爪２１は、回転しているため横刃部２４の土壌は、回転方向後方側の耕耘爪２１先端側に順次押されて移動する。
そして、回転方向と直交する方向の面を有する直交刃部２５に達すると、移動方向が変更され移動抵抗が増加して土壌に圧力が付加されるとともに、側方に移動される。また、直交刃部２５に達した一部の土壌は、外周方向に飛ばされ、飛ばされた土壌は、カバー１２にぶつけられ土壌はこなれて粉砕される。このように、土壌に適度の圧力を作用させ横方向への移動を効率よく行うため土壌が短時間に細かく破砕されるとともに、練り込まれる。
【００２５】
図１、図２に図示されるように、直交刃部２５の爪軸１６側の面は、正面視又は回転軸である爪軸１６方向からみて回転中心前方側から下方に向かって回転する。最下端部を過ぎて、後方側になると、回転方向前方端側が低く、後端側が高い傾斜から徐々に水平になり、さらに前方端側が高く後端側が低い傾斜に変化していく。
この過程において、直交刃部２５の爪軸１６側の面に耕耘された土壌の一部が載せられて爪軸１６上方側から前方側に持回られ、更に細かく破砕されるとともに、練り込まれる。
直交刃部２５により持回る土の量が多くなり、砕土性は向上する。
【００２６】
図２に基づき、夾雑物のすき込み性について説明する。
直刃部２３から横刃部２４及び直交刃部２５にかけての回転方向前側の刃部は、回転すると、図２に図示されるように、土壌に当接する前方位置から爪軸１６回転軸中心の下方位置近傍までは、前方が高く後方が低く傾斜した状態から下方に移動するに伴い、徐々に水平状態に変化する。
そして、回転下端部を過ぎると、前方が低く後方が高く傾斜した状態に変化する。これにより、夾雑物は上方から回転してくる直刃部２３の刃部によって、土中の下方に移動され、回転下端部近傍において、夾雑物が土の抵抗により土中に取り残されてすき込まれる。直交刃部２５平面と横刃部２４との境界部の回転方向前方端部近傍が回転半径は最大となって、直交刃部２５の刃部が横刃部２４側から端部にかけて回転軸芯側に湾曲して、夾雑物を持ち上げることが無い。
【００２７】
第２実施例のように、横刃部２４が、爪軸１６への取り付け状態で、平面視円弧状に湾曲している形状の場合、直線状の場合に比較して土壌の移動速度が緩やかになるため、練り込み性能も緩やかになる。
他方、折り曲げタイプの横刃部２４からなる第１実施例では、横刃部２４は、平面視直線状となっていると、横移動の速度が速くなり、また、土壌に加わる押圧力が大きくなり、練り込み効果が大きくなる。
土質が異なると、練り込み性も異なるため、第１実施例に係る耕耘爪２１と、第２実施例に係る耕耘爪２１とを、土質にあった形状又は希望する練り込み度合いに合った形状を選択して使用することで、作業性を向上する。
【００２８】
この発明の実施例では、耕耘爪の砕土性を向上するとともに、耕耘爪が土を持回る量を向上し、早く作業をすることを可能とし、同一箇所での作業を軽減する。
【符号の説明】
【００２９】
１１  代かき機
１６  爪軸
２１  耕耘爪
２２  基部
２３  直刃部
２４  横刃部
２５  直交刃部
【図１】
0006495646.tif 000002
【図２】
0006495646.tif 000003
【図３】
0006495646.tif 000004
【図４】
0006495646.tif 000005
【図５】
0006495646.tif 000006
【図６】
0006495646.tif 000007
【図７】
0006495646.tif 000008
【図８】
0006495646.tif 000009
【図９】
0006495646.tif 000010
【図１０】
0006495646.tif 000011